(57)【特許請求の範囲】
【請求項１】
開口した上部を備えた熱可塑性材料の成形された箱本体部であって、熱可塑性材料はポリプロピレン又はポリエチレンである、箱本体部を含む弾薬箱であって、
前記箱本体部は４つの側壁部を有し、前記側壁部のうちの２つは、対向する側壁部に対して概して平行であり、
固定された実質的に長方形の底壁部が、前記箱本体部の底部において４つの側壁部すべてを接続し、前記固定された底壁部は、前記４つの側壁部に対して概して垂直であり、
前記４つの側壁部は、互いに接続されて前記箱本体部の４つの角部を形成し、前記４つの角部は前記底部から前記開口した上部まで延在し、
前記成形された箱本体部は、前記側壁部及び底壁部の内側に、弾薬のための概して長方形の保管スペースを画定し、
一体成形された中空の崩壊可能な突起部が、前記箱本体部の外側面の前記４つの角部のそれぞれに又は前記４つの角部のそれぞれの近くに設けられており、
前記一体成形された中空の崩壊可能な突起部は、前記底壁部から実質的に直角に延在するルーメンを画定する細長い中空の形状を有する、弾薬箱。
【請求項２】
前記一体成形された中空の崩壊可能な突起部は、前記側壁部からそれぞれ突き出ている間隔を置いて配置された２つの突起壁部を含み、前記間隔を置いて配置された２つの突起壁部は、前記２つの突起壁部によって側壁部から間隔を置いて配置されている衝突壁部によって接続されており、前記衝突壁部は、前記２つの突起壁部及び側壁部の一部分とともに前記ルーメンを画定している、請求項１記載の弾薬箱。
【請求項３】
前記突起壁部は、前記側壁部からほぼ直角に突き出ているが、厳密な直角に突き出てはいない、請求項２記載の弾薬箱。
【請求項４】
前記衝突壁部は、前記側壁部のうちの１つに実質的に平行である実質的に平面的な壁部であり、前記衝突壁部と前記突起壁部との間の第１の移行部は、好ましくは、丸い移行部である、請求項３記載の弾薬箱。
【請求項５】
前記開口した上部に最も近い前記側壁部の周囲部分が、直立リム部を形成し、前記直立リム部は、前記長方形の保管スペースへの実質的に長方形の開口部を取り囲んでいる、請求項１〜４の何れか一項に記載の弾薬箱。
【請求項６】
前記直立リム部を形成する前記側壁部の前記部分と、第２の移行部から前記底壁部まで延在する前記側壁部の残りの部分との間の前記第２の移行部は、前記底壁部に平行な平面と一致している、請求項５記載の弾薬箱。
【請求項７】
前記側壁部には、前記直立リム部を形成する前記側壁部の前記部分と、前記第２の移行部から前記底壁部まで延在する前記側壁部の残りの部分との間の前記第２の移行部に、１つ又は複数の外向きに方向付けされた突起部が設けられている、請求項６記載の弾薬箱。
【請求項８】
前記側壁部には、前記底壁部における位置又は前記底壁部の近くの位置から前記第２の移行部まで延在する、近接して配置された細長い一体成形されたリブのセットが設けられており、近接して配置された細長い一体成形されたリブのセットは、前記角部のそれぞれの近くに位置する、請求項６又は７記載の弾薬箱。
【請求項９】
前記一体成形された中空の崩壊可能な突起部は、細長く、前記第１の移行部から前記底壁部に向けて長手方向に延在し、好ましくは、前記長手方向の延在部が前記底壁部に到達する前に終端している、請求項４記載の弾薬箱。
【請求項１０】
前記開口した上部を閉じるのに適切な形状及びサイズを有する、熱可塑性材料の概して長方形の成形された平坦な蓋部をさらに含み、前記蓋部は、前記箱本体部に開封可能に又は解放可能に取り付けられることで前記開口した上部を選択的に開閉させる、請求項１〜９の何れか一項に記載の弾薬箱。
【請求項１１】
前記蓋部は、
４つの蓋部側壁部であって、前記蓋部側壁部のうちの２つは、対向する蓋部側壁部に対して概して平行である、４つの蓋部側壁部と、
前記蓋部の上部で４つの蓋部側壁部すべてを接続する、固定された実質的に長方形の上壁部とを含む、請求項１０記載の弾薬箱。
【請求項１２】
前記側壁部は、前記蓋部の４つの角部において接続されており、前記角部のそれぞれには、一体成形された中空の崩壊可能な蓋部突起部が設けられている、請求項１１記載の弾薬箱。
【請求項１３】
前記一体成形された中空の崩壊可能な蓋部突起部は、前記蓋部が前記開口した上部を閉じているときに、前記箱本体部の前記中空の崩壊可能な突起部の延在部を形成する、請求項１２記載の弾薬箱。
【請求項１４】
第１の熱可塑性材料の成形された箱本体部を備える実質的に長方形の箱であって、前記箱本体部は、弾薬のための長方形の保管スペースを画定し、前記長方形の保管スペースは、前記箱本体部の１つの側部に開口して開口部を形成する、実質的に長方形の箱本体部と、
前記開口部を選択的に開閉させるように構成されている、第１の熱可塑性材料の成形された蓋部本体部を備えた長方形の蓋部と、
前記箱本体部は、長辺と短辺を備え、前記蓋部は、長辺と短辺を一致させることを含み、
前記蓋部の短辺を前記箱本体部の短辺に枢動可能に接続する枢動ヒンジとを含み、
前記枢動ヒンジは、前記箱本体部に取り付けられている第１のヒンジパーツと、前記蓋部に取り付けられている第２のヒンジパーツとを含み、
第１のヒンジ部分は、前記箱本体部のルーメンに挿入され、
第２のヒンジ部分は、前記蓋部本体部のルーメンに挿入され、
前記第１のヒンジパーツ及び前記第２のヒンジパーツは、前記第１の熱可塑性材料とは異なる第２の熱可塑性材料の成形パーツである、弾薬箱。
【請求項１５】
前記第１のヒンジパーツは、スナップ・フィット接続によって前記箱本体部に固定されている、請求項１４記載の弾薬箱。
【請求項１６】
前記第２のヒンジパーツは、スナップ・フィット接続によって前記蓋部本体部に固定されている、請求項１４又は１５記載の弾薬箱。
【請求項１７】
前記第１のヒンジパーツがヒンジ・ピンを画定し、前記第２のヒンジパーツが、前記ヒンジ・ピンが枢動可能に受け入れられるボアを画定しているか、又は、前記第２のヒンジパーツがヒンジ・ピンを画定し、前記第１のヒンジパーツが、前記ヒンジ・ピンが枢動可能に受け入れられるボアを画定している、請求項１４〜１６の何れか一項に記載の弾薬箱。
【請求項１８】
前記箱本体部には、その外側面に、一体成形された中空の突起部が設けられており、前記一体成形された中空の突起部は、前記開口部を備えた前記箱本体部の前記側部に向けて開口するルーメンを画定しており、前記ルーメンは、前記第１のヒンジパーツの一部分を受け入れるように構成されている、請求項１４〜１７の何れか一項に記載の弾薬箱。
【請求項１９】
前記成形された長方形の蓋部には、外側面に、一体成形された中空の突起部が設けられており、前記一体成形された中空の突起部は、前記蓋部がその閉位置にあるときに、前記開口部に面する前記蓋部の前記側部に向けて開口するルーメンを画定しており、前記ルーメンは、前記第２のヒンジパーツの一部分を受け入れるように構成されている、請求項１４〜１８の何れか一項に記載の弾薬箱。
【請求項２０】
前記第１の熱可塑性材料は、ポリプロピレン又はポリエチレンであり、好ましくは、拡大した温度範囲のために、及び／又はＵＶ保護のために、及び／又は静電放電保護のために、及び／又は燃焼性性能のために、添加剤を有する、請求項１４〜１９の何れか一項に記載の弾薬箱。
【請求項２１】
前記第２の熱可塑性材料は、ポリアミドであり、好ましくはＰＡ６（ナイロン）であり、さらにより好ましくは、例えば、ガラス繊維強化材などの繊維強化材を伴う、請求項１４〜２０の何れか一項に記載の弾薬箱。
【請求項２２】
第１の熱可塑性材料の成形された箱本体部を備える実質的に長方形の箱であって、前記箱本体部は、弾薬のための長方形の保管スペースを画定し、前記長方形の保管スペースは、前記箱本体部の開口側部に開口して開口部を形成する、実質的に長方形の箱と、
前記開口部を選択的に開閉させるように構成されている、第１の熱可塑性材料の成形された長方形の蓋部とを含み、
前記開口側部に隣接する前記箱本体部の周囲エリアは、前記保管スペースへの前記開口部を取り囲むリム部として形成されており、
前記蓋部は、前記リム部の周りにぴったりとフィットするように形状決め及びサイズ決めされており、前記リム部は、前記蓋部が閉位置にあるときに、前記蓋部の内側に受け入れられ、
前記蓋部には、その外側面の１つに、間隔を置いて配置された２つの一体成形された中空の突起部が設けられており、前記一体成形された中空の突起部は、前記蓋部が前記開口部を閉じているときに、前記開口部に面する前記蓋部の前記側部に向けて開口するルーメンをそれぞれ画定し、
前記箱本体部の外側面には、間隔を置いて配置された２つの舌部が設けられており、前記舌部は、前記リム部に平行な主要な延在部を有し、前記舌部は、前記リム部からわずかに間隔を置いて配置されており、前記舌部の間の前記間隔は、前記ルーメンと、前記蓋部がその閉位置にあるときに前記ルーメンの中に受け入れられている前記舌部との間の前記間隔に対応している、弾薬箱。
【請求項２３】
前記箱本体部の外側面には、２つの一体成形された中空の突起部が設けられており、前記一体成形された中空の突起部は、前記箱本体部の前記開口側部に向けて開口するルーメンをそれぞれ画定し、前記舌部は、２つの細長い本体部によって形成されており、前記細長い本体部のうちの１つは、前記舌部が前記ルーメンから突出した状態で、前記ルーメンのそれぞれの中に挿入されている、請求項２２記載の弾薬箱。
【請求項２４】
前記２つの細長い本体部は、Ｈ字形状のブラケットの一部であり、前記細長い本体部同士は、横断方向の部材によって接続されており、前記細長い本体部間の間隔が、前記２つの一体成形された中空の突起部の中の前記ルーメン間の前記間隔に対応している、請求項２３記載の弾薬箱。
【請求項２５】
前記細長い本体部は、スナップ・フィット接続によって前記箱本体部に固定されている、請求項２４記載の弾薬箱。
【請求項２６】
前記細長い本体部及び／又は前記Ｈ字形状のブラケットは、前記第１の熱可塑性材料とは異なる第２の熱可塑性材料から成形されている、請求項２４又は２５記載の弾薬箱。
【請求項２７】
前記横断方向の部材には、留め金のための枢動ヒンジの一部分が設けられており、前記留め金は、前記弾薬箱から枢動可能に吊るされており、前記留め金は、前記蓋部をロックするための１つの枢動位置において前記蓋部に係合するように構成され、別の枢動位置において前記蓋部から外れるように構成されている、請求項２６記載の弾薬箱。
【請求項２８】
前記留め金は、前記第１の熱可塑性材料及び前記第２の熱可塑性材料とは異なる第３の熱可塑性材料から形成されている、請求項２７記載の弾薬箱。
【請求項２９】
前記第１の熱可塑性材料は、ポリプロピレン又はポリエチレンであり、好ましくは、拡大した温度範囲のために、及び／又はＵＶ保護のために、及び／又は静電放電保護のために、及び／又は燃焼性性能のために、添加剤を有する、請求項２２〜２８の何れか一項に記載の弾薬箱。
【請求項３０】
前記第２の熱可塑性材料は、ポリアミドであり、好ましくはＰＡ６（ナイロン）であり、さらにより好ましくは、例えば、ガラス繊維強化材などの繊維強化材を伴う、請求項２６〜２８の何れか一項に記載の弾薬箱。
【請求項３１】
前記第３の熱可塑性材料は、ポリアミドであり、好ましくはＰＡ６であり、繊維強化されているか、又は軟化剤を伴うかの何れかである、請求項２８記載の弾薬箱。
【請求項３２】
長方形の箱本体部及び対応する蓋部を含む弾薬箱であって、前記箱本体部は、前記長方形の箱本体部の１つの側部に開口部を備えた熱可塑性材料の成形された本体部であり、前記開口部から、前記箱本体部の内側の弾薬のための長方形の保管スペースにアクセスすることができ、
前記蓋部は、前記箱本体部の前記側部のうちの１つに、又は前記箱本体部の前記側部のうちの１つの近くに、かつ前記開口部の近くに、枢動ヒンジによって前記箱本体部から枢動可能に吊るされており、前記蓋部が閉位置と完全な開位置との間で前記箱本体部に対して枢動することを可能にし、
前記開口部に隣接する前記箱本体部の周囲エリアは、前記開口部の周りにリム部を形成しており、
前記蓋部は、前記リム部の周りにぴったりとフィットするように形状決め及びサイズ決めされており、前記リム部は、前記蓋部が前記閉位置にあるときに、前記蓋部の内側に受け入れられる、弾薬箱において、
前記リム部には、前記枢動ヒンジが設けられている前記箱本体部の前記側部に、１つ又は複数の外向きに突き出た歯部が設けられており、前記蓋部には、前記蓋部が前記閉位置にあるときに前記歯部を受け入れるための対応する凹部が設けられていることを特徴とする、弾薬箱。
【請求項３３】
前記１つ又は複数の外向きに突き出た歯部は、前記箱本体部と一体成形されている、請求項３２記載の弾薬箱。
【請求項３４】
前記歯部は、前記枢動ヒンジの軸線方向に間隔を置いて配置されている、請求項３３記載の弾薬箱。
【請求項３５】
長方形の箱本体部及び対応する蓋部を含む弾薬箱であって、前記箱本体部は、前記箱本体部の１つの側部に開口部を備えた熱可塑性材料の成形された本体部であり、前記開口部から、前記箱本体部の内側の弾薬のための長方形の保管スペースにアクセスすることができ、
前記蓋部は、前記蓋部が閉位置及び開位置をとることを可能にするように、前記箱本体部に開封可能に固定されており、
前記開口部に隣接する前記箱本体部の周囲エリアは、前記開口部の周りにリム部を形成しており、
前記蓋部は、前記リム部の周りにぴったりとフィットするように形状決め及びサイズ決めされており、前記リム部は、前記蓋部が前記閉位置にあるときに前記蓋部の内側に受け入れられる、弾薬箱において、
前記箱本体部は、長辺と短辺を備え、
前記長方形の箱本体部の長辺の２つの対向する側壁部には、近接して配置された一対のリブが設けられており、前記近接して配置された一対のリブのそれぞれは、前記側壁から横方向に延び、複数の横方向リブ又は傾斜リブによって相互接続されており、前記近接して配置された一対のリブは、前記リム部と、前記近接して配置された一対のリブが設けられている前記側壁部の残りの部分との間の移行部に沿って延在していることを特徴とする、弾薬箱。
【請求項３６】
長方形の箱本体部及び対応する長方形の平坦な蓋部を含む弾薬箱であって、前記箱本体部は、前記箱本体部の１つの側部に開口部を備えた熱可塑性材料の成形された本体部であり、前記開口部から、前記箱本体部の内側の弾薬のための長方形の保管スペースにアクセスすることができ、
前記開口部に隣接する前記箱本体部の周囲エリアは、前記開口部の周りにリム部を形成し、
前記蓋部は、一体成形された蓋部本体部を含み、
前記蓋部は、前記リム部の周りにぴったりとフィットするように形状決め及びサイズ決めされており、前記リム部は、前記蓋部が閉位置にあるときに前記蓋部の内側に受け入れられる、弾薬箱において、
前記蓋部本体部は上壁部を有し、前記上壁部は、実質的に直角に４つの蓋部側壁部に接続されており、前記４つの蓋部側壁部は、前記リム部の周りにぴったりとフィットしており、
前記上壁部は、前記蓋部の前記内側から突き出ている複数の一体成形された蓋部リブを有し、
前記蓋部には、閉じ板が設けられており、前記閉じ板の一方の側は、前記蓋部リブに面しており、前記閉じ板の前記一方の側は、前記蓋部リブによって支持されており、
前記閉じ板には、対向して配設された２つのフランジが設けられており、前記フランジは、２つの対向する蓋部側部に沿って延在して溝部を画定し、前記蓋部が前記箱本体部の上に装着されるときに、前記箱本体部のアップライト・フランジの一部分が、前記溝部の中にぴったりとしたフィットで受け入れられる、弾薬箱。
【請求項３７】
前記フランジは内側側壁部を有し、前記少なくとも１つの蓋部リブの端部が、前記フランジの前記内側側壁部に位置し、前記少なくとも１つの蓋部リブの前記端部が、前記フランジが内向きに押し付けられることを防止するための当接表面を形成するようになっている、請求項３６記載の弾薬箱。
【発明の詳細な説明】
【技術分野】
【０００１】
本開示の態様は、概して、弾薬箱に関し、とりわけ、軽量の弾薬箱に関する。
【背景技術】
【０００２】
弾薬箱又はカルトゥーシュ箱（ｃａｒｔｏｕｃｈｅ  ｂｏｘ）は、弾薬の安全な輸送及び保管のために設計されたコンテナである。公知の弾薬箱は、典型的には鋼製プレートから作製され、口径、量、及び、製造日又はロット番号がラベル表示されている。一般には、ゴム・ガスケットが、ヒンジ付きの蓋部の中にあり、湿分による損傷から弾薬を保護する。再封止式の弾薬箱は、大部分は、ＮＡＴＯ伝統式である。
【０００３】
軍事用弾薬に関して、どのように弾薬が取り扱われるべきであるかについての厳格なガイドラインが存在しており、弾薬箱に関してさまざまな要件が存在している。その理由は、それらは、厳しい環境に耐えることができなければならず、また、弾薬箱が硬い表面に落とされた場合でも、弾薬が爆発しないように保護するために十分に強力でなければならないためである。
【０００４】
北大西洋条約機構（ＮＡＴＯ）は、弾薬箱に関する特定の要件を含む弾薬標準を規定している。弾薬箱は、内側及び外側の両方において特定のサイズを有していなければならず、それにより、特定のタイプの弾薬に適するコンテナが容易に認識可能であるようになっており、また、弾薬箱は、特定の外側形状及びサイズを有していなければならず、それにより、弾薬箱が、バルク輸送のためにパレットの上に容易に積み重ねられるようになっている。そのような標準化された弾薬箱の例は、７．６２ｘ５１ｍｍＮＡＴＯカートリッジに関するＭ１９Ａ１弾薬箱である。他のモデルの弾薬箱が他のタイプの標準ＮＡＴＯ弾薬に使用され、コンテナのサイズは弾薬のサイズを反映している。弾薬コンテナの標準化されたサイズ及び設計に加えて、ＮＡＴＯ弾薬に関して使用されるコンテナは、極寒及び猛暑など、弾薬コンテナがその中に存在することが想定される極端な環境に耐えることを必要とされ、また、最低でも２０年にわたって弾薬を保管して保存することができなければならない。すべてのこれらの条件において、弾薬が支障なく輸送及びアクセスされ得るように、弾薬コンテナは正常に動作する状態になっていなければならない。上記の要件は、ＮＡＴＯ弾薬コンテナに関する通常の使用要件として理解することができ、ここで、例えば、コンテナが損傷を受けた場合など、異常状況をカバーするコンテナに関して、さらなる要件が存在している。コンテナが損傷を受けた場合に、コンテナが、弾薬を保持及び輸送するためのその機械的な構造体を維持することを確実にするために、コンテナは、所定の範囲内の衝撃又は衝突に耐えることができなければならない。所定の許容差の範囲は、例えば、コンテナが、弾薬を保持することができなければならないこと、ハンドルによって運搬されることができなければならないこと、及び、弾薬で充填されたコンテナが、−４７℃の低温環境において、１２メートルの高さからコンクリートなどの硬い表面へ落とされたときに、開封可能でなければならないということである。
【０００５】
ＮＡＴＯ弾薬コンテナのそのような信頼性は、鋼板から弾薬箱を構築することによって実現されてきた。その理由は、鋼鉄の機械的な強度は、約−４７℃から７０℃の所定の範囲内において、温度の変化に著しくは影響を受けないからである。また、鋼板の箱は、衝撃又は衝突に対して非常に抵抗力があり、それは、コンテナがかなりの高さから落とされたとしても、弾薬箱の構造的完全性が維持されるということを意味している。鋼板は、落下後に、膨れたり凹んだりする可能性があるが、鋼製の構築体は、コンテナが分解することなくその実質的な形状を維持することを可能にするのに十分に安定している。そのうえ、鋼製の弾薬箱は、それがバルク輸送のためにパレットの上に大きいバルクで積み重ねできるような機械的な強度であり、ここで、積み重ねの最も下に設置されている弾薬箱は、その上に積み重ねられているおおよそ２０個の最大限に装填された弾薬コンテナの重量に耐えることが可能である。
【０００６】
鋼製の弾薬箱は第２次世界大戦（１９４０年代）から使用されてきており、その目的を十分に果たしてきたが、鋼製の弾薬箱は複数の欠点を有している。ＮＡＴＯ要件を満たす従来の鋼製のコンテナは、比較的厚い鋼板を使用しており、結果として、弾薬の重量と比較して相対的に高い重量を有する弾薬箱となる。弾薬は遠く離れた配備場所に飛行機で大量に輸送されることが多いので、これは不利益である。重量は、通常、飛行機の主要な積載量制限であるので、重量の低減は重要な利点がある。
【０００７】
そのうえ、鋼鉄の材料コストは現在は比較的安いものの、鋼製パネルは、その形状に形成され、その形状へと溶接されなければならないので、鋼製ケースの組み立て及び構築は比較に高費用である。この構築は、構築作業及び組み立て作業を実施している熟練した金属細工師又はロボットの何れにとっても、時間のかかるものである。
【０００８】
プラスチック製の公知の弾薬箱は、両方とも、箱のハウジングに対して直角に配置されているリブを備えて設計されており、それは、剛性を増加させるための、プラスチック産業における通常の設計手法である。この対策は、衝突に対していくらかの抵抗を有する。しかし、衝突が激し過ぎる場合には、これらのリブは崩壊するのではなく、リブが取り付けられているケースの中へ真っ直ぐに衝突エネルギーを伝達し、それによって箱の壁部が接続線のところで破壊する。
【０００９】
従って、軽量であり、製造するのに安価であり、ＮＡＴＯ同盟国で使用するために必要とされる最小標準を満たすことができる弾薬箱を提供する必要性が存在している。
【発明の概要】
【発明が解決しようとする課題】
【００１０】
本発明の目的は、改善した弾薬箱を提供することである。先述の目的及び他の目的は、独立請求項の特徴によって実現される。
【課題を解決するための手段】
【００１１】
さらなる実施形態は、従属請求項、本説明、及び図から明らかである。
【００１２】
第１の態様によれば、弾薬箱が提供され、この弾薬箱は、開口した上部を備えた熱可塑性材料の成形された箱本体部であって、熱可塑性材料はポリプロピレン又はポリエチレンである、箱本体部を含み、箱本体部は４つの側壁部を有し、側壁部のうちの２つは、対向する側壁部に対して概して平行であり、固定された実質的に長方形の底壁部が、箱本体部の底部において、４つの側壁部すべてを接続し、固定された底壁部は、４つの側壁部に対して概して垂直であり、４つの側壁部は、互いに接続されて箱本体部の４つの角部を形成し、４つの角部は、底部から開口した上部まで延在しており、成形された箱本体部は、側壁部及び底壁部の内側に、弾薬のための概して長方形の保管スペースを画定し、一体成形された中空の崩壊可能な突起部が、箱本体部の外側面の４つの角部のそれぞれに又は４つの角部のそれぞれの近くに設けられている。
【００１３】
一体成形された中空の制御可能に崩壊可能な突起部を設けることによって、弾薬箱の箱本体部に衝突ゾーンを設け、箱本体部に対する衝突時に箱本体部を損傷から保護することが可能である。これらの衝突ゾーンは、車産業から公知のクランプル・ゾーンのように作用し、衝突の間に、かなりの量の衝突エネルギーを吸収しながら崩壊し、それによって、弾薬箱の実際の壁部を損傷から保護する。一体成形された態様は、崩壊可能な突起部と箱本体部との間の接続に関して最大強度を提供し、一方、中空の崩壊可能な態様は、衝突から最適なエネルギー観測を提供する。一体成形された中空の崩壊可能な突起部は、箱本体部の角部に設けられるか、又は、箱本体部の角部の近くに設けられ、これらは、箱本体部の最も露出されるパーツであり、従って衝突時に故障する可能性が最も高いパーツである。従って、箱本体部の４つの角部のすべてに、又は箱本体部の４つの角部のすべての近くに、衝突ゾーンを設けることによって、追加的な重量を増加させる突起部の材料が、それが最も必要とされる場所だけに適用される。その理由は、例えば、完全な二重の壁部構築を設けると、箱本体部が重くなり過ぎ、製造がより高費用になるためである。これらの対策は、弾薬箱を保護し、また、実際の弾薬箱が衝突時に無傷のままであることを確実にし、また、弾薬を衝突から保護することは弾薬箱の機能ではないということが留意される。その理由は、弾薬は、保護が全くない状態での衝突に対処するようにテスト及び設計されているからである。
【００１４】
第１の態様の第１の実施形態によれば、一体成形された中空の崩壊可能な突起部は、底壁部から実質的に直角に延在するルーメンを画定する細長い中空の形状を有する。ルーメンを画定する細長い形状を設けることによって、崩壊可能な突起部は、弾薬箱の他のパーツを箱本体部に固定するために使用され得る。
【００１５】
第１の態様の第２の実施形態によれば、一体成形された中空の崩壊可能な突起部は、側壁部からそれぞれ突き出ている間隔を置いて配置された２つの突起壁部を含み、間隔を置いて配置された２つの突起壁部は、２つの突起壁部によって側壁部から間隔を置いて配置されている衝突壁部によって接続されており、衝突壁部は、２つの突起壁部及び側壁部の一部分とともにルーメンを画定している。衝突壁部によって接続されている２つの突起壁部を設けることによって、堅固な信頼性の高い崩壊可能な構造体が得られる。
【００１６】
第１の態様の第３の実施形態によれば、突起壁部は、側壁部からほぼ直角に突き出ているが、厳密な直角に突き出てはいない。好ましくは、突起壁部は、側壁部にほぼ直角に延在している。ある実施形態では、突起壁部は、８０°から８９°の間の角度で、好ましくは、８２度から８８度の間の角度で、さらにより好ましくは、８８°から８９°の間の角度で、弾薬箱の側壁部に対して延在している。厳密な直角ではなく、ほぼ直角に突起壁部を設けることによって、突起部が衝突時に制御された様式で崩壊し、突起壁部が弾薬箱の側壁部の中へ押し込まれて箱本体部を崩壊させないことが確保される。突起壁部とそれらが設けられている側壁部との間で厳密な平角が使用される場合には、崩壊可能な突起部が崩壊せず、それによって、衝突のエネルギー及び力のほとんどを側壁部に伝えるというリスクが不必要に増加する。
【００１７】
第１の態様の第４の実施形態によれば、衝突壁部は、側壁部のうちの１つに実質的に平行である実質的に平面的な壁部であり、衝突壁部と設けられた突起壁部との間の移行部は、好ましくは、丸い移行部である。丸い移行部を設けることによって、箱本体部が鋭い縁部を有することが回避され、鋭い縁部は、取り扱いを妨げ、弾薬箱を取り扱う人に損傷を引き起こす可能性がある。
【００１８】
第１の態様の第５の実施形態によれば、開口した上部に最も近い側壁部の周囲部分は、直立リム部を形成し、直立リム部は、長方形の保管スペースへの実質的に長方形の開口部を取り囲んでいる。保管スペースへの開口部を取り囲む直立リム部を設けることによって、蓋部による保管スペースの気密封止が促進される。
【００１９】
第１の態様の第６の実施形態によれば、直立リム部を形成する側壁部の部分と、移行部分から底壁部まで延在する側壁部の残りの部分との間の移行部は、底壁部に平行な平面と一致している。
【００２０】
第１の態様の第７の実施形態によれば、側壁部には、リム部を形成する側壁部の部分と、移行部から底壁部まで延在する側壁部の残りの部分との間の移行部に、１つ又は複数の外向きに方向付けされた突起部が設けられている。従って、蓋部の下向きに突き出た側壁部と当接するための当接表面が設けられる。
【００２１】
第１の態様の第８の実施形態によれば、側壁部には、底壁部における位置又は底壁部の近くの位置から移行部まで延在する、近接して配置された細長い一体成形されたリブのセットが設けられており、近接して配置された細長い一体成形されたリブのセットは、角部のそれぞれの近くに位置する。角部の近くに位置する一体成形されたリブのセットは、最も露出されるエリアの箱本体部の構築の安定性を改善する。
【００２２】
第１の態様の第９の実施形態によれば、一体成形された中空の崩壊可能な突起部は、細長く、移行部から底壁部に向けて長手方向に延在し、好ましくは、長手方向の延在部が底壁部に到達する前に終端している。一体成形された中空の崩壊可能な突起部の長手方向の延在部を終端させることによって、箱本体部の下側領域において、箱本体部から突き出ることを回避することが可能であり、それによって、箱本体部が箱本体部の外側面の寸法に対する既存の要件を遵守することを可能にし、弾薬箱が既存の武器システムの中の弾薬箱のための受容部に合致するようになっている。
【００２３】
第１の態様の第１０の実施形態によれば、弾薬箱は、開口した上部を閉じるのに適切な形状及びサイズを有する、熱可塑性材料の概して長方形の成形された平坦な蓋部をさらに含み、蓋部は、開封可能であるか又は箱本体部に解放可能に取り付けられることで、開口した上部を選択的に開閉させる。
【００２４】
第１の態様の第１１の実施形態によれば、蓋部は、４つの蓋部側壁部を含み、蓋部側壁部のうちの２つは、対向する蓋部側壁部に対して概して平行である。
【００２５】
第１の態様の第１２の実施形態によれば、弾薬箱の蓋部には、蓋部の上部で４つの蓋部側壁部すべてを接続する、固定された実質的に長方形の上壁部が設けられている。
【００２６】
第１の態様の第１３の実施形態によれば、蓋部の側壁部は、蓋部の４つの角部において接続されており、角部のそれぞれには、一体成形された中空の崩壊可能な蓋部突起部が設けられている。
【００２７】
第１の態様の第１４の実施形態によれば、一体成形された中空の崩壊可能な蓋部突起部は、蓋部が開口した上部を閉じているときに、中空の崩壊可能な突起部の延在部を形成する。
【００２８】
第１の態様の第１５の実施形態によれば、蓋部には、例えばゴム・ガスケットなどのようなガスケットが設けられている。ガスケットは、箱本体部に係合し、蓋部が箱本体部に固定されているときに、気密封止を提供する。
【００２９】
第１の態様の第１６の実施形態によれば、箱本体部には、ハンドルが設けられている。
【００３０】
第１の態様の第１７の実施形態によれば、蓋部には、ハンドルが設けられている。
【００３１】
本発明の第２の態様によれば、第１の熱可塑性材料の成形された箱本体部を備える実質的に長方形の箱であって、箱本体部は、弾薬のための長方形の保管スペースを画定し、長方形の保管スペースは、箱本体部の１つの側部に開口している、実質的に長方形の箱と、開口部を選択的に開閉させるように構成されている、第１の熱可塑性材料の成形された長方形の蓋部と、蓋部を箱本体部に枢動可能に接続する枢動ヒンジとを含み、枢動ヒンジは、箱本体部に取り付けられている第１のパーツと、蓋部に取り付けられている第２のパーツとを含み、第１のパーツ及び第２のパーツは、第１の熱可塑性材料とは異なる第２の熱可塑性材料の成形パーツである、弾薬箱が提供される。
【００３２】
第１の熱可塑性材料の箱本体部、及び、第２の熱可塑性材料のヒンジを設けることによって、特に、箱本体部及び枢動ヒンジに適用される、強度及び剛性に関して、それぞれの熱可塑性材料の特性を異なる要件に調整することが可能になる。箱本体部は、比較的可撓性及び弾性である必要があり、従って、熱可塑性材料は、衝突からのエネルギーを吸収することができるために、比較的軟質であるべきであり、一方、枢動ヒンジ材料は、衝突時に蓋部が箱本体部から分離されないことを確実にするために、比較的リジッドで強力であるべきである。
【００３３】
第２の態様の第１の実施形態によれば、第１のパーツは、スナップ・フィット接続によって箱本体部に固定されている。従って、確実で組み立てやすい接続が、箱本体部と枢動ヒンジの第１のパーツとの間に提供される。
【００３４】
第２の態様の第２の実施形態によれば、第２のパーツは、スナップ・フィット接続によって蓋部本体部に固定されている。従って、確実で組み立てやすい接続が、蓋部と枢動ヒンジの第２のパーツとの間に提供される。
【００３５】
第２の態様の第３の実施形態によれば、第１のパーツがヒンジ・ピンを画定し、第２のパーツが、ヒンジ・ピンが枢動可能に受け入れられるボアを画定しているか、又は、第２のパーツがヒンジ・ピンを画定し、第１のパーツが、ヒンジ・ピンが枢動可能に受け入れられるボアを画定している。従って、効果的で信頼性の高い枢動ヒンジが提供される。
【００３６】
第２の態様の第４の実施形態によれば、箱本体部には、その外側面に、一体成形された中空の突起部が設けられており、一体成形された中空の突起部は、開口部を備えた箱の側部に向けて開口するルーメンを画定しており、ルーメンは、第１のパーツの一部分を受け入れるように構成されている。従って、箱本体部には、過剰な量の衝突のエネルギーを箱本体部に伝えることなく、衝突のエネルギーを吸収することによって、それを衝突から保護するための手段が設けられており、突起部は、同時に、枢動ヒンジの第１のパーツを箱本体部に固定するために使用されるコンポーネントとして作用する。
【００３７】
第２の態様の第５の実施形態によれば、成形された長方形の蓋部には、外側面に、一体成形された中空の突起部が設けられており、一体成形された中空の突起部は、蓋部がその閉位置にあるときに、開口部に面する蓋部の側部に向けて開口するルーメンを画定しており、ルーメンは、第２のパーツの一部分を受け入れるように構成されている。従って、二重の機能が、突起部に関して生成され、それは、衝突を吸収するエレメント、及び、枢動ヒンジの第２のパーツを固定するための取り付けエレメントの両方として機能する。
【００３８】
第２の態様の第６の実施形態によれば、第１の熱可塑性材料は、ポリプロピレン又はポリエチレンであり、好ましくは、拡大した温度範囲のために、及び／又はＵＶ保護のために、及び／又は静電放電保護のために、及び／又は燃焼性性能のために、添加剤を有する。エンジニアリング・グレードのポリプロピレンは、強度と剛性との間の必要なバランスを提供し、それは、箱本体部が完全性を維持しながら屈曲及び吸収することができるようにするために必要とされる。また、エンジニアリング・グレードのポリエチレンは、強度と剛性との間の必要なバランスを提供し、それは、箱本体部が完全性を維持しながら屈曲及び吸収できるようにするために必要とされる。
【００３９】
第２の態様の第７の実施形態によれば、第２の熱可塑性材料は、ポリアミドであり、好ましくはＰＡ６（ナイロン）であり、さらにより好ましくは、例えば、ガラス繊維強化材などの繊維強化材を伴う。エンジニアリング・グレードのポリアミドは、強度と剛性との間の必要なバランスを提供し、それは、ヒンジが衝突時に無傷のままであるために必要とされる。
【００４０】
第３の態様によれば、第１の熱可塑性材料の成形された箱本体部を備える実質的に長方形の箱であって、箱本体部は、弾薬のための長方形の保管スペースを画定し、長方形の保管スペースは、箱本体部の開口側部に開口している、実質的に長方形の箱と、開口部を選択的に開閉させるように構成されている、第１の熱可塑性材料の成形された長方形の蓋部とを含み、開口側部に隣接する箱本体部の周囲エリアは、保管スペースへの開口部を取り囲むリム部として形成されており、蓋部は、リム部の周りにぴったりとフィットするように形状決め及びサイズ決めされており、リム部は、蓋部が閉位置にあるときに、蓋部の内側に受け入れられ、蓋部には、その外側面の１つに、間隔を置いて配置された２つの一体成形された中空の突起部が設けられており、一体成形された中空の突起部は、蓋部が開口部を閉じているときに、開口部に面する蓋部の側部に向けて開口するルーメンをそれぞれ画定しており、箱本体部の外側面には、間隔を置いて配置された２つの舌部が設けられており、舌部は、リム部に平行な主要な延在部を有し、舌部は、リム部からわずかに間隔を置いて配置されており、舌部間の間隔は、ルーメンと、蓋部がその閉位置にあるときにルーメンの中に受け入れられている舌部との間の間隔に対応している、弾薬箱が提供される。
【００４１】
蓋部の対応するルーメンの中へ突き出る舌部を箱本体部に設けることによって、箱本体部と蓋部との間の接続は、蓋部が閉位置にあるときにかなり改善され、それによって、衝突時に無傷であるままとなるように、弾薬箱の全体的な能力を改善する。
【００４２】
第３の態様の第１の実施形態によれば、箱の外側面には、２つの一体成形された中空の突起部が設けられており、一体成形された中空の突起部は、箱本体部の開口側部に向けて開口するルーメンをそれぞれ画定しており、舌部は、２つの細長い本体部によって形成されており、細長い本体部のうちの１つは、ラグがルーメンから突出した状態で、ルーメンのそれぞれの中に挿入されている。ルーメンを画定する２つの一体成形された中空の突起部を設けることによって、箱本体部には、衝突からの保護のための衝突ゾーン、及び、舌部を箱本体部に固定するための手段が設けられている。
【００４３】
第３の態様の第２の実施形態によれば、２つの細長い本体部は、Ｈ字形状のブラケットの一部であり、細長い本体部同士は、横断方向の部材によって接続されており、細長い本体部間の間隔が、２つの一体成形された中空の突起部の中のルーメン間の間隔に対応している。Ｈ字形状のブラケットの一体部分である２つの舌部を設けることによって、組み立ての間に舌部を箱本体部に固定することがより容易になる。さらに、Ｈ字形状のブラケットは、横断方向の部材を提供し、横断方向の部材は、弾薬箱の他のパーツを固定するために使用され得る。
【００４４】
第３の態様の第３の実施形態によれば、細長い本体部は、スナップ・フィット接続によって箱本体部に固定されている。スナップ・フィット接続を提供することによって、割り当てられた本体部は、組み立て中に容易に箱本体部に固定され得る。
【００４５】
第３の態様の第４の実施形態によれば、横断方向の部材には、留め金のための枢動ヒンジの一部分が設けられており、留め金は、弾薬箱から枢動可能に吊るされており、留め金は、蓋部をロックするための１つの枢動位置において蓋部に係合するように構成されており、別の枢動位置において蓋部から外れるように構成されている。
【００４６】
第３の態様の第５の実施形態によれば、細長い本体部及び／又はＨ字形状のブラケットは、第１の熱可塑性材料とは異なる第２の熱可塑性材料から成形されている。従って、細長い本体部及び／又はＨ字形状のブラケットの材料特性は、それらの特定の要求に適合され得、一方、箱本体部は、箱本体部の要求に適合されている材料特性を備え得る。
【００４７】
第３の態様の第６の実施形態によれば、留め金は、第１の熱可塑性材料及び第２の熱可塑性材料とは異なる第３の熱可塑性材料から形成されている。従って、留め金材料は、留め金の特定の要求に適合され得、それは、そのタスクを実行するために強力かつ弾性である必要がある。
【００４８】
第３の態様の第７の実施形態によれば、第１の熱可塑性材料は、ポリプロピレン又はポリエチレンであり、好ましくは、拡大した温度範囲のために、及び／又はＵＶ保護のために、及び／又は静電放電保護のために、及び／又は燃焼性性能のために、添加剤を有する。
【００４９】
第３の態様の第８の実施形態によれば、第２の熱可塑性材料は、ポリアミドであり、好ましくはＰＡ６（ナイロン）であり、さらにより好ましくは、例えば、ガラス繊維強化材などの繊維強化材を伴う。
【００５０】
第３の態様の第９の実施形態によれば、第３の熱可塑性材料は、ポリアミドであり、好ましくはＰＡ６であり、繊維強化されているか、又は軟化剤を伴うかの何れかである。
【００５１】
第４の態様によれば、長方形の箱本体部及び対応する蓋部を含む弾薬箱であって、箱本体部は、箱本体部の１つの側部に開口部を備えた熱可塑性材料の成形された本体部であり、開口部から、箱本体部の内側の弾薬のための長方形の保管スペースにアクセスすることができ、蓋部は、箱本体部の側部のうちの１つに、又は箱本体部の側部のうちの１つの近くに、かつ開口部の近くに、枢動ヒンジによって箱本体部から枢動可能に吊るされており、蓋部が閉位置と完全な開位置との間で箱本体部に対して枢動することを可能にし、開口部に隣接する箱本体部の周囲エリアは、開口部の周りにリム部を形成しており、蓋部は、リム部の周りにぴったりとフィットするように形状決め及びサイズ決めされており、リム部は、蓋部が閉位置にあるときに、蓋部の内側に受け入れられる、弾薬箱において、リム部には、枢動ヒンジが設けられている箱の側部に、１つ又は複数の外向きに突き出た歯部が設けられており、蓋部は、蓋部が閉位置にあるときに歯部を受け入れるための対応する凹部が設けられている、弾薬箱が提供される。
【００５２】
枢動ヒンジにおいて、又は、枢動ヒンジの近くにおいて、外向きに突き出た歯部をリム部に設けることによって、蓋部が閉位置にあるときに、蓋部の内側にある対応する凹部の中へ歯部が突き出ている状態で、蓋部は、蓋部が閉位置にあるときに、箱本体部に追加的に固定され、それによって、弾薬箱の能力を改善し、蓋部が箱本体部から外されることを防止する。
【００５３】
第４の態様の第１の実施形態によれば、１つ又は複数の外向きに突き出た歯部は、箱本体部と一体成形されている。
【００５４】
第４の態様の第２の実施形態によれば、歯部は、枢動ヒンジの軸線方向に間隔を置いて配置されている。
【００５５】
第５の態様によれば、長方形の箱本体部及び対応する蓋部を含む弾薬箱であって、箱本体部は、箱本体部の１つの側部に開口部を備えた熱可塑性材料の成形された本体部であり、開口部から、箱本体部の内側の弾薬のための長方形の保管スペースにアクセスすることができ、蓋部は、蓋部が閉位置及び開位置をとることを可能にするように、箱本体部に開封可能に取り付けられており、開口部に隣接する箱本体部の周囲エリアは、開口部の周りにリム部を形成しており、蓋部は、リム部の周りにぴったりとフィットするように形状決め及びサイズ決めされており、リム部は、蓋部が閉位置にあるときに蓋部の内側に受け入れられる、弾薬箱において、長方形の箱本体部の２つの対向する側壁部には、近接して配置された一対のリブが設けられており、近接して配置された一対のリブは、複数の横方向リブ又は傾斜リブによって相互接続されており、近接して配置された一対のリブは、リム部と、近接して配置された一対のリブが設けられている側壁部の残りの部分との間の移行部に沿って延在している、弾薬箱が提供される。
【００５６】
リム部と側壁部の残りの部分との間の移行部において、横方向リブ又は傾斜リブによって相互接続されている、近接して配置された一対のリブを設けることによって、側壁部の上の外側圧力によって内向きに屈曲させられることに抵抗する側壁部の能力は、著しく増加させられる。従って、蓋部を除去することなく、人が弾薬箱の内側の保管スペースにアクセスすることが、より困難になる。
【００５７】
第６の態様によれば、長方形の箱本体部及び対応する長方形の平坦な蓋部を含む弾薬箱であって、箱本体部は、箱本体部の１つの側部に開口部を備えた熱可塑性材料の成形された本体部であり、開口部から、箱本体部の内側の弾薬のための長方形の保管スペースにアクセスすることができ、開口部に隣接する箱本体部の周囲エリアは、開口部の周りにリム部を形成しており、蓋部は、一体成形された蓋部本体部を含み、蓋部は、リム部の周りにぴったりとフィットするように形状決め及びサイズ決めされており、リム部は、蓋部が閉位置にあるときに蓋部の内側に受け入れられる、弾薬箱において、蓋部本体部は上壁部を有し、上壁部は、実質的に直角に４つの蓋部側壁部に接続されており、４つの蓋部側壁部は、リム部の周りにぴったりとフィットしており、上壁部は、蓋部の内側から突き出ている複数の一体成形された蓋部リブを有し、蓋部には、閉じ板が設けられており、閉じ板の一方の側は、蓋部リブに面しており、閉じ板の一方の側は、蓋部リブによって支持されており、閉じ板には、対向して配設された２つのフランジが設けられており、フランジは、２つの対向する蓋部側部に沿って延在して溝部を画定し、蓋部が箱本体部の上に装着されるときに、箱本体部のアップライト・フランジの一部分が、溝部の中にぴったりとしたフィットで受け入れられる、弾薬箱が提供される。
【００５８】
蓋部の内側に溝部を設けることによって、側壁部の外側面への圧力によって内向きに屈曲させられることに抵抗する側壁部の能力は、著しく増加させられる。従って、側壁部を内向きに押すことによって、蓋部を除去することなく人が弾薬箱の内側の保管スペースにアクセスすることがより困難になる。
【００５９】
第６の態様の第１の実施形態によれば、少なくとも１つの蓋部リブの端部が、フランジの内側側壁部に位置し、少なくとも１つの蓋部リブの端部が、フランジが内向きに押し付けられることを防止するための当接表面を形成するようになっている。
【００６０】
本発明のこれらの態様及び他の態様は、下記に説明されている実施形態から明らかになろう。
【００６１】
本開示の以下の詳細な部分において、本発明が、図面に示されている例示的な実施形態を参照して、より詳細に説明される。
【図面の簡単な説明】
【００６２】
【図１】例示的な実施形態による弾薬箱の斜視図である。
【図２】その蓋部が閉位置にある状態の図１の弾薬箱の別の上視点からの斜視図である。
【図３】その蓋部が閉位置にある状態の図１の弾薬箱の分解図である。
【図４】その蓋部がわずかに開位置にある状態の図１の弾薬箱の長い側部の側面図である。
【図５】図１の弾薬箱の上視点からの切り欠き断面図である。
【図６】閉じ板がない状態の図１の弾薬箱の蓋部の底部側の上視点図である。
【図７】図６の閉じ板の上視点図である。
【図８】図６の蓋部の短い側部の詳細の上視点図である。
【図９】図１の弾薬箱の中間を通る断面図である。
【図１０】図９の断面図の詳細図である。
【図１１】２つの枢動ヒンジの第１のパーツについての２つの反対側側部からの上視点図である。
【図１２】枢動ヒンジの第２のパーツについての２つの異なる視点からの上視点図である。
【図１３】枢動ヒンジの第２のパーツについての２つの異なる視点からの上視点図である。
【図１４】枢動ヒンジのうちの１つを通る、図１の弾薬箱の短い側部における上視点からの切り欠き断面図である。
【図１５】図１の弾薬箱の中間を通る縦断面図である。
【図１６】枢動ヒンジにおける図１の弾薬箱のエリアを通る詳細縦断面図であり、蓋部が閉位置にあることを示す図である。
【図１７】枢動ヒンジにおける図１の弾薬箱のエリアを通る詳細縦断面図であり、蓋部がいくらか開位置にあることを示す図である。
【図１８】図１の弾薬箱の短い側部に設けられているＨ字形状のブラケットについての反対側側部からの２つの上視点図である。
【図１９】図１の弾薬箱の短い側部に設けられているＨ字形状のブラケットについての反対側側部からの２つの上視点図である。
【図２０】図１の弾薬箱の短い側部に設けられているＬ字形状の留め金についての反対側側部からの２つの上視点図である。
【図２１】図１の弾薬箱の短い側部に設けられているＬ字形状の留め金についての反対側側部からの２つの上視点図である。
【図２２】図１８及び図１９のＨ字形状のブラケットと、図２０及び図２１のＬ字形状の留め金と、図１に示されているハンドルとを含む、アッセンブリの上視点図である。
【図２３】図１の弾薬箱の端部部分を通る上視点からの切り欠き断面図である。
【図２４】蓋部が閉位置にあるときに、図１の弾薬箱の箱本体部のフランジから蓋部の側部の中へ突き出る歯部を図示する図である。
【図２５】蓋部が閉位置にあるときに、図１の弾薬箱の箱本体部のフランジから蓋部の側部の中へ突き出る歯部を図示する図である。
【発明を実施するための形態】
【００６３】
図を参照して、概して長方形の外形を有する弾薬箱１が開示されている。
【００６４】
弾薬箱は、第１の熱可塑性材料の成形された箱本体部２を含み、第１の熱可塑性材料は、即ち、温められたときに可鍛性（malleable）である合成の有機固体又は半合成の有機固体の材料である。成形された箱本体部２は、弾薬、又は同様の特性を有する他の物品、例えば、爆発物などを保管するための、実質的に長方形（rectangular）の保管スペースを画定している。
【００６５】
実質的に長方形の箱本体部の１つの側部は、箱本体部２の内側の保管スペースにアクセスできるように開口している。箱本体部２の他の側部は、箱本体部の４つの長い側部において、２つの対向する平行な側壁部４によって形成されており、箱本体部２の短い側部において、２つの対向する平行な側壁部５によって形成されている。底壁部７は、実質的に直角に４つの側壁部４、５に接続されている。ある実施形態では、底壁部７には、複数の内部に突き出た補強リブが設けられている。４つの側壁部４、５は、箱本体部２の４つの角部６を形成するように、互いに接続されている。
【００６６】
また、弾薬箱１は、平坦で実質的に長方形の蓋部３を含み、蓋部３は、箱本体部２の開口部を閉じるのに適切な形状及びサイズを有している。蓋部３は、第１の熱可塑性材料の成形された本体部を含む。蓋部３は上壁部１０を有し、上壁部１０は、４つの側壁部１４、１５と直角に接続しており、即ち、蓋部３の長い側部に沿って、２つの対向する側壁部１４に接続しており、蓋部３の短い側部に沿って、２つの対向する側壁部１５に接続している。長い側壁部１４及び短い側壁部１５は、蓋部本体部の角部を形成するように、互いに接続されている。
【００６７】
箱本体部の短い側壁部５のうちの１つには、ハンドル３５が設けられ、蓋部３の上壁部１０には、ハンドル４０が設けられている。
【００６８】
示されている実施形態では、蓋部３は、枢動ヒンジ２０によって箱本体部２に枢動可能に接続されており、枢動ヒンジ２０は、弾薬箱１の短い側部に位置する。留め金３０の形態のロッキングデバイスが、弾薬箱１の反対側の短い側部に設けられている（別の実施形態（図示せず）によれば、蓋部３は、弾薬箱１の反対側側部において、留め金によって箱本体部２に固定されている）。
【００６９】
箱本体部２には、その４つの角部６のそれぞれにおいて、一体成形された中空の崩壊可能な突起部８が設けられている。一体成形された中空の崩壊可能な突起部８は、大きい力を箱本体部２に伝達することなく衝突時のエネルギーを吸収することができる、中空の崩壊可能な構造体をそれぞれ形成している。
【００７０】
崩壊可能な突起部８は、細長い形状を有し、間隔を置いて配置された２つの突起壁部５９の間にルーメン９をそれぞれ画定している。間隔を置いて配置された２つの突起壁部５９は、衝突壁部５８によって互いに接続されている。衝突壁部５８は、崩壊可能な突起部８が関連付けられている側壁部１４、１５から間隔を置いて配置されている。ある実施形態では、衝突壁部５８は、衝突壁部が関連付けられている側壁部１４、１５に平行に延在する壁部の実質的に平面的なセクションである。衝突壁部５８と突起壁部５９との間の移行部は、好ましくは、丸みを帯びた移行部である。
【００７１】
崩壊可能な突起部１８は、衝突が起こる可能性が最も高い場所である角部６の近くに、又は角部６に配置されている。ルーメン９の長手方向の延在部は、好ましくは、崩壊可能な突起部が関連付けられている角部６に平行である。ルーメン９は、保管スペースへの開口部が設けられた、箱本体部２の側部に開口している。また、ルーメン１９の反対側端部も、実施形態では、開口していることが可能である。
【００７２】
実施形態によれば、一体成形された中空の崩壊可能な突起部８は、細長く、また、リム部１１と関係する側壁部４、５の残りの部分との間の移行部から、底壁部７に向けて長手方向に延在しており、好ましくは、長手方向の延在部が底壁部７に到達するよりかなり前に終端している。
【００７３】
箱本体部２の上部には、開口部の周りに、円周方向の直立したリム部１１が設けられており、即ち、側壁部の上側周囲部は、リム部１１によって形成されている。側壁部が、リム部１１と側壁部４、５の残りの部分との間の移行部に設けられており、蓋部３の側壁部１４、１５の下向きの当接表面に係合するための、上向きの当接表面を備えている。
【００７４】
ある実施形態では、長い側壁部４は、それらの外側面に、好ましくは、一体成形された、近接して配置された一対のリブ２９が設けられており、近接して配置された一対のリブ２９は、複数の横方向リブ又は傾斜リブによって相互接続されている。近接して配置された一対のリブ２９は、好ましくは、前記リム部と近接して配置された一対のリブ２９が設けられている側壁部の残りの部分との間の移行部に沿って延在している。従って、近接して配置された一対のリブ２９の上側は、蓋部３のための当接表面を形成することが可能である。
【００７５】
側壁部４、５は、箱本体部の角部６に、又は箱本体部の角部６の近くに、近接して配置された複数の補強リブ３４のセットが設けられており、補強リブ３４は、箱本体部２の底部から箱本体部２の上部に向けて延在している。
【００７６】
リム部１１は、蓋部３の内側に緊密に受け入れられることを意図している。
【００７７】
蓋部本体部には、その４つの角部のそれぞれに、対応する一体成形された崩壊可能な突起部１８が設けられている。同じように、崩壊可能な蓋部突起部１８は、ルーメン１９をそれぞれ画定しており、ルーメン１９は、蓋部３が箱本体部２に固定されているときに、弾薬箱１の保管スペースへの開口部に面する、蓋部３の側部に開口している。崩壊可能な蓋部突起部１８は、蓋部本体部から突き出ている蓋部突起壁部によって形成されている。蓋部保護壁部は、蓋部衝突壁部によって互いに接続されており、蓋部衝突壁部は、蓋部本体部の側壁部から間隔を置いて配置されており、大きい力を蓋部本体部に伝達することなく、衝突時のエネルギーを吸収することができる、中空の崩壊可能な構造体を形成している。蓋部３が閉位置にあるときには、崩壊可能な蓋部突起部１８は、弾薬箱１の上部までずっと弾薬箱１の角部を保護するために、崩壊可能な突起部８の拡張部を形成している。
【００７８】
蓋部本体部の上壁部１０には、ハンドル４０のためのスペースを提供する役割を果たす開口部１２が提供されている。
【００７９】
蓋部本体部の上壁部１０には、内向きに突き出た蓋部リブ１６が設けられており、それは、蓋部本体部の安定性を強化している。また、突き出た蓋部リブ１６は、閉じ板１３のための支持構造体を形成しており、閉じ板１３は、蓋部本体部の内側に固定されている。閉じ板１３には、蓋部３の長い側部に沿って、２つの対向する（下向きに突き出た）フランジ１７が設けられている。フランジ１７は、対応する側壁部１４とともに、箱本体部のリム部１１を緊密に受け入れるための溝部を画定している。
【００８０】
また、閉じ板１３には、円周方向のガスケット４２（例えば、ゴム・ガスケットなど）が設けられており、それは、リム部１１の上側縁部に対して封止し、蓋部３が箱本体部２を気密封止できるようになっている。ヒンジ２０の側部の反対側にある蓋部３の短い側部には、ラグ４９が設けられており、ラグ４９は、留め金３０の開口部５８を通って突き出ることを意図している。従って、封止はラグ４９の開口部を通して配置され、封止が破壊されていないので弾薬箱１が開けられていないことを確認することが可能である。
【００８１】
また、閉じ板１３は、好ましくは、円周方向のガスケット３３を使用して、蓋部本体部の孔部１２を密封し、蓋部本体部と閉じ板１３との間の気密封止を確保する。
【００８２】
枢動ヒンジ２０は、第１のヒンジ・パーツ２１及び第２のヒンジ・パーツ２２を含み、第１のヒンジ・パーツ２１は、箱本体部２に固定されており、第２のヒンジ・パーツ２２は、蓋部本体部に固定されている。第１のヒンジ・パーツ２１は、ルーメン９の中へ挿入するのに適した細長いエレメントである。第１のヒンジ・パーツ２１がルーメンの中へ挿入されたとき、第１のヒンジ・パーツ２１の一部分がルーメンから突き出し、それは、ヒンジのピンを受け入れるためのボア２４を含む。
【００８３】
第２のヒンジ・パーツ２２には、ボア２４の中へ挿入されるマッチング・ヒンジ・ピン２６が設けられている。第１のヒンジ・パーツ２１は、突出部２５を含み、突出部２５は、崩壊可能な突起部８の衝突壁部５８の孔部の中に係合する。従って、第１のパーツ２１がルーメン９の中へ挿入されるときに、突出部２５は、孔部の中へ嵌まり込み、従って、ルーメン９から解放されないように第１のパーツ２１を固定する。従って、第１のヒンジ・パーツ２１は、スナップ・ロックによって箱本体部２に接続される。
【００８４】
第２のヒンジ・パーツ２２には、弾性リップ２７が設けられており、また、弾性リップ２７の自由端部にラッチ２８が設けられている。弾性リップ２７は、それが蓋部３の崩壊可能な突起部１８のルーメン１９の中へ挿入され得るように、形状決め及びサイズ決めされている。ルーメン１９は両端部において開口しているため、弾性リップ２７が一方の側からルーメンの中へ挿入され得、他方の側において、ラッチ２８が反対側の開口部から突き出るようになっており、ラッチは、第２のヒンジ・パーツ２２がルーメン１９から引き抜かれることを防止する。従って、第２のヒンジ・パーツ２２は、スナップ・ロックによって蓋部本体部に接続される。
【００８５】
第１のヒンジ・パーツ２１及び第２のヒンジ・パーツ２２は、比較的スリムな本体部構造体を有し、構造体はそれぞれのルーメン９、１９の中のスペースを完全には充填せず、そのため、それぞれの崩壊可能な突起部８、１８は依然として、衝突時にかなりの程度まで、即ち、ルーメン９、１９がまったく閉塞物で充填されていないかのように、圧縮されるか又は崩壊することができる。
【００８６】
ヒンジ２０におけるリム部１１の側部は、その外側面に、１つ又は複数の外向きに突き出た歯部４６が設けられており、それは、蓋部３が閉位置にあるときに、ヒンジ２０における蓋部３の側壁部１５の対応する凹部４８に係合するように構成されている。１つ又は複数の歯部４６は、蓋部３がいくらか開位置へ枢動させられると、蓋部３から外れる。蓋部３がその閉位置にあるとき、１つ又は複数の歯部４６と蓋部３の凹部４８との間の係合は、蓋部３の能力を強化し、箱本体部２から強制的に外されることに抵抗する。歯部４６は、箱本体部２と一体成形されている。
【００８７】
ヒンジ２０の反対側側部において、箱本体部２には、Ｈ字形状のブラケット３１が設けられている。Ｈ字形状のブラケット３１は２つの脚部を含み、それらは、横断方向の部材３６によって相互接続されている。２つの脚部は、箱本体部２の対応する側壁部５の上のルーメン９の間の間隔に合致するように間隔を置いて配置されている。脚部の大部分はルーメン９の中へ挿入され、脚部の上の突起部３９が衝突壁部５９の孔部に係合しており、Ｈ字形状のブラケット３１の脚部が、スナップ・ロック接続によって箱本体部２に固定されるようになっている。
【００８８】
Ｈ字形状のブラケット３１が側壁部５に適用されたときに、舌部３２が、ルーメン９のそれぞれから突き出す。舌部３２は、例えば、蓋部本体部の対応する短い側部１５において、２つの崩壊可能な突起部１８の中のそれぞれのルーメン１９の内側に緊密に受け入れられるように、形状決めされ、サイズ決めされ、及び位置決めされている。従って、蓋部３は、舌部３２を介して箱本体部２に接続されており、それによって箱及び蓋部の構築の剛性及び安定性を強化する。
【００８９】
Ｈ字形状のブラケット３１の横断方向の部材３６には、２つのフック３７が設けられており、２つのフック３７は、留め金３０を吊るす役割を果たす。Ｈ−ブラケット３１の脚部には、下向きに突き出たスリムな舌部５１が設けられており、それは、ハンドル３５をアンカー固定する役割を果たす。これに関して、スリムな舌部５１は、ハンドル３５の自由端部にあるループの中へ挿入される。ハンドル３５は、ルーメン９にアクセスできるそれぞれの突起壁部５９の開口部３８を介してルーメン９の中へ延在しており、代替的に、開口部３８は、突起壁部５９と衝突壁部５８との間の移行部に設けられている。ルーメン９の内側に固定されて位置するスリムな舌部５１を、ハンドル３５のループの中へ挿入することによって、ハンドル３５は、箱本体部２の中に頑丈にアンカー固定される。
【００９０】
ある実施形態では（図示せず）、舌部３２は、相互接続されていない、即ちＨ字形状のブラケットの一部ではない、２つの別々の脚部の上に設けられている。
【００９１】
ヒンジ２０の反対側側部において、箱本体部２には、留め金３０が設けられており、留め金３０は、ヒンジ３４によって側壁部５から枢動可能に吊るされている。留め金３０は、実質的にＬ字形状であり、また、それが蓋部３に係合していない開位置から、それが蓋部３に係合する閉位置へ、枢動可能に移動することが可能である。これに関して、蓋部３には、好ましくは、留め金３０を受け入れるための凹部が設けられている。留め金３０には、少なくとも１つの一体成形された枢動シャフト５７、及び、一体型の補強リブ５９が設けられている。一体成形された枢動シャフト５７は、Ｈ字形状のブラケット３１のフック３７に係合する。
【００９２】
留め金３０は、第３の熱可塑性材料の成形品である。
【００９３】
ある実施形態では、第１の熱可塑性材料は、ポリプロピレン又はポリエチレンのグループの中の専門的な熱可塑性物質である。ある実施形態では、熱可塑性材料は、拡大した温度範囲のために、ＵＶ保護のために、静電放電保護のために、及び／又は燃焼性性能のために、添加剤を提供される。
【００９４】
ある実施形態では、第２の熱可塑性材料は、例えば、ガラス繊維などの繊維強化材を伴うポリアミド、好ましくは、ＰＡ６（ナイロンがより好ましい）である。
【００９５】
ある実施形態では、第３の熱可塑性材料は、ポリアミド、好ましくは、ＰＡ６（ナイロン）であり、ガラス繊維などの繊維強化剤又は軟化剤を伴うことがさらに好ましい。
【００９６】
弾薬箱１を十字型に積み重ねるために、弾薬箱１の幅に対する長さの関係がおおよそ２：１であることが有利である可能性がある。
【００９７】
本目的は、可撓性であることによって衝突を吸収することができる弾性弾薬箱及び蓋部構築、ならびに、破壊することなく衝突を受けるのに十分にリジッドでありながらわずかに変形することができる、リジッドのヒンジ構築、リジッドのＨ−ブラケット、リジッドの留め金、及びリジッドの蓋部インサートを得ることである。
【００９８】
本発明は、本明細書でさまざまな実施形態に関連して説明されてきた。しかし、開示されている実施形態に対する他の変形例が、図面、本開示、及び、添付の特許請求の範囲を検討することから、特許請求されている発明を実施する当業者によって、理解及び実現され得る。特許請求の範囲において、「含む（ｃｏｍｐｒｉｓｉｎｇ）」という用語は、他のエレメント又はステップを排除せず、また、複数であり得ることが明記されていない構成が複数であり得ることを排除しない。相互に異なる従属請求項の中に特定の測定値が記載されているという単なる事実は、これらの測定値の組み合わせが有利に使用できないということを示しているわけではない。特許請求の範囲の中で使用されている参照記号は、範囲を限定するように解釈されるべきではない。
【図１】
0006740238.tif 000002
【図２】
0006740238.tif 000003
【図３】
0006740238.tif 000004
【図４】
0006740238.tif 000005
【図５】
0006740238.tif 000006
【図６】
0006740238.tif 000007
【図７】
0006740238.tif 000008
【図８】
0006740238.tif 000009
【図９】
0006740238.tif 000010
【図１０】
0006740238.tif 000011
【図１１】
0006740238.tif 000012
【図１２】
0006740238.tif 000013
【図１３】
0006740238.tif 000014
【図１４】
0006740238.tif 000015
【図１５】
0006740238.tif 000016
【図１６】
0006740238.tif 000017
【図１７】
0006740238.tif 000018
【図１８】
0006740238.tif 000019
【図１９】
0006740238.tif 000020
【図２０】
0006740238.tif 000021
【図２１】
0006740238.tif 000022
【図２２】
0006740238.tif 000023
【図２３】
0006740238.tif 000024
【図２４】
0006740238.tif 000025
【図２５】
0006740238.tif 000026